(57)【要約】【課題】接続が切断された場合であっても、再接続時に好適な位置から再生を再開することができる再生システム及びサーバを提供する。【解決手段】ＤＶＤに記録された映像データ及び音声データを再生するＤＶＤプレーヤに接続され、無線通信回線を介して、映像データ及び音声データをテレビ受像機に送信するサーバ２のＣＰＵ２４に、テレビ受像機との間の無線通信回線の切断及び再接続を検出させる検出プログラム２６Ｂと、無線通信回線の切断が検出された場合に、映像データ及び音声データの再生を一時停止させる停止制御信号を発生させて、ＤＶＤプレーヤに対して当該停止制御信号を出力させる停止制御プログラム２６Ｃと、無線通信回線の再接続が検出された場合に、映像データ及び音声データの再生を再開させる再開制御信号を発生させて、ＤＶＤプレーヤに対して当該再開制御信号を出力させる再開制御プログラム２６Ｄと、を備えた。【選択図】図２
2007134963.tif 000002
【特許請求の範囲】
【請求項１】
記録媒体に記録された映像データ及び／又は音声データを再生する再生装置と、
前記再生装置に接続され、無線通信回線を介して、前記再生装置により再生された映像データ及び／又は音声データをクライアント端末装置に送信するサーバと、
を備える再生システムにおいて、
前記サーバは、
前記クライアント端末装置との間の無線通信回線の切断を検出する切断検出手段と、
前記切断検出手段により前記クライアント端末装置との間の無線通信回線の切断が検出された場合に、前記再生装置による映像データ及び／又は音声データの再生を一時停止させる停止制御信号を発生する停止制御信号発生部と、
前記クライアント端末装置との間の無線通信回線の再接続を検出する再接続検出手段と、
前記再接続検出手段により前記クライアント端末装置との間の無線通信回線の再接続が検出された場合に、前記再生装置による映像データ及び／又は音声データの再生を再開させる再開制御信号を発生する再開制御信号発生部と、
前記クライアント端末装置から受信した操作信号を前記再生装置に光により出力する発光部と、を備え、
前記停止制御信号及び前記再開制御信号を前記発光部により前記再生装置に出力し、
前記再生装置は、
前記発光部から出力された前記操作信号、前記停止制御信号及び前記再開制御信号を受光する受光部と、
前記受光部により受光された前記操作信号、前記停止制御信号及び前記再開制御信号により、前記記録媒体に記録された映像データ及び／又は音声データの再生を制御する再生制御手段と、
を備えることを特徴とする再生システム。
【請求項２】
記録媒体に記録された映像データ及び／又は音声データを再生する再生装置に接続され、無線通信回線を介して、前記再生装置により再生された映像データ及び／又は音声データをクライアント端末装置に送信するサーバにおいて、
前記クライアント端末装置との間の無線通信回線の切断を検出する切断検出手段と、
前記切断検出手段により前記クライアント端末装置との間の無線通信回線の切断が検出された場合に、映像データ及び／又は音声データの再生を一時停止させる停止制御信号を発生して、前記再生装置に対して当該停止制御信号を出力させる停止制御手段と、
前記クライアント端末装置との間の無線通信回線の再接続を検出する再接続検出手段と、
前記再接続検出手段により前記クライアント端末装置との間の無線通信回線の再接続が検出された場合に、映像データ及び／又は音声データの再生を再開させる再開制御信号を発生して、前記再生装置に対して当該再開制御信号を出力させる再開制御手段と、
を備えることを特徴とするサーバ。
【請求項３】
前記クライアント端末装置から受信した操作信号を前記再生装置に出力する信号出力部を備え、
前記停止制御信号及び前記再開制御信号を前記信号出力部により前記再生装置に出力することを特徴とする請求項２に記載のサーバ。
【請求項４】
記録媒体に記録された映像データ及び／又は音声データを再生する再生装置と、
前記再生装置に接続され、無線通信回線を介して、前記再生装置により再生された映像データ及び／又は音声データをクライアント端末装置に送信するサーバと、
を備える再生システムにおいて、
前記サーバは、
前記クライアント端末装置との間の無線通信回線の切断を検出する切断検出手段と、
前記切断検出手段により前記クライアント端末装置との間の無線通信回線の切断が検出された場合に、映像データ及び／又は音声データの再生を一時停止させる停止制御信号を発生して前記再生装置に対して当該停止制御信号を出力させる停止制御手段と、
前記クライアント端末装置との間の無線通信回線の再接続を検出する再接続検出手段と、
前記再接続検出手段により前記クライアント端末装置との間の無線通信回線の再接続が検出された場合に、映像データ及び／又は音声データの再生を再開させる再開制御信号を発生して、前記再生装置に対して当該再開制御信号を出力させる再開制御手段と、を備え、
前記再生装置は、
前記サーバから出力された前記停止制御信号及び前記再開制御信号を受信する信号受信部と、
前記信号受信部により受信された前記停止制御信号及び前記再開制御信号により、前記記録媒体に記録された映像データ及び／又は音声データの再生を制御する再生制御手段と、
を備えることを特徴とする再生システム。
【発明の詳細な説明】
【技術分野】
【０００１】
本発明は、再生システム及びサーバに関する。
【背景技術】
【０００２】
従来、映像データ及び音声データ等のコンテンツを供給するサーバと、当該サーバとインターネット等により接続され、コンテンツを受信して当該コンテンツに基づく映像及び音声を出力するクライアント端末装置等を備えるネットワーク型コンテンツ出力システムが知られている（例えば、特許文献１〜４）。
また、ＤＶＤ等の再生装置に接続されるサーバと、当該サーバと無線等により接続され、ＤＶＤに記録された映像データ及び音声データをサーバから受信して当該映像データ及び音声データに基づく映像及び音声を出力するクライアント端末装置等を備える再生システムも知られている。
上記再生システムにおいては、何らかの要因でサーバとクライアント端末装置との接続は切断されることがあるため、接続が切断された際に出力されていたデータのコンテンツ内における位置情報や時間情報を記憶して、再接続された際に当該位置情報や時間情報に基づいて、接続が切断された際に出力されていたデータから出力を再開させるものも知られている（例えば、特許文献１，２）
【０００３】
また、サーバとクライアント端末装置との接続状態が悪化した場合に、送信するコンテンツのデータ量を少なくすることにより、出力される映像や音声が途切れてしまうのを防ぐものも知られている（例えば、特許文献３）。
【特許文献１】特開２００４−２７４７１８号公報
【特許文献２】特開２００４−１０２４１５号公報
【特許文献３】特開２００４−０９６１６０号公報
【特許文献４】特開２００５−１８４７８３号公報
【発明の開示】
【発明が解決しようとする課題】
【０００４】
しかしながら、当該再生システムにおいて、特許文献２又は３のように切断時に再生されていたデータの位置情報や時間情報を用いても、例えば、ＤＶＤの再生ではチャプター毎にしか再生開始位置を指定できないため、切断時に再生されていたデータから再生を再開することができない。また、接続が切断されてしまった場合に、特許文献３の方法を用いることはできない。
【０００５】
本発明の課題は、接続が切断された場合であっても、再接続時に好適な位置から再生を再開することができる再生システム及びサーバを提供することである。
【課題を解決するための手段】
【０００６】
請求項１に記載の発明は、記録媒体に記録された映像データ及び／又は音声データを再生する再生装置と、
前記再生装置に接続され、無線通信回線を介して、前記再生装置により再生された映像データ及び／又は音声データをクライアント端末装置に送信するサーバと、
を備える再生システムにおいて、
前記サーバは、
前記クライアント端末装置との間の無線通信回線の切断を検出する切断検出手段と、
前記切断検出手段により前記クライアント端末装置との間の無線通信回線の切断が検出された場合に、前記再生装置による映像データ及び／又は音声データの再生を一時停止させる停止制御信号を発生する停止制御信号発生部と、
前記クライアント端末装置との間の無線通信回線の再接続を検出する再接続検出手段と、
前記再接続検出手段により前記クライアント端末装置との間の無線通信回線の再接続が検出された場合に、前記再生装置による映像データ及び／又は音声データの再生を再開させる再開制御信号を発生する再開制御信号発生部と、
前記クライアント端末装置から受信した操作信号を前記再生装置に光により出力する発光部と、を備え、
前記停止制御信号及び前記再開制御信号を前記発光部により前記再生装置に出力し、
前記再生装置は、
前記発光部から出力された前記操作信号、前記停止制御信号及び前記再開制御信号を受光する受光部と、
前記受光部により受光された前記操作信号、前記停止制御信号及び前記再開制御信号により、前記記録媒体に記録された映像データ及び／又は音声データの再生を制御する再生制御手段と、
を備えることを特徴としている。
【０００７】
請求項２に記載の発明は、記録媒体に記録された映像データ及び／又は音声データを再生する再生装置に接続され、無線通信回線を介して、前記再生装置により再生された映像データ及び／又は音声データをクライアント端末装置に送信するサーバにおいて、
前記クライアント端末装置との間の無線通信回線の切断を検出する切断検出手段と、
前記切断検出手段により前記クライアント端末装置との間の無線通信回線の切断が検出された場合に、映像データ及び／又は音声データの再生を一時停止させる停止制御信号を発生して、前記再生装置に対して当該停止制御信号を出力させる停止制御手段と、
前記クライアント端末装置との間の無線通信回線の再接続を検出する再接続検出手段と、
前記再接続検出手段により前記クライアント端末装置との間の無線通信回線の再接続が検出された場合に、映像データ及び／又は音声データの再生を再開させる再開制御信号を発生して、前記再生装置に対して当該再開制御信号を出力させる再開制御手段と、
を備えることを特徴としている。
【０００８】
請求項３に記載の発明は、請求項２に記載のサーバにおいて、
前記クライアント端末装置から受信した操作信号を前記再生装置に出力する信号出力部を備え、
前記停止制御信号及び前記再開制御信号を前記信号出力部により前記再生装置に出力することを特徴としている。
【０００９】
請求項４に記載の発明は、記録媒体に記録された映像データ及び／又は音声データを再生する再生装置と、
前記再生装置に接続され、無線通信回線を介して、前記再生装置により再生された映像データ及び／又は音声データをクライアント端末装置に送信するサーバと、
を備える再生システムにおいて、
前記サーバは、
前記クライアント端末装置との間の無線通信回線の切断を検出する切断検出手段と、
前記切断検出手段により前記クライアント端末装置との間の無線通信回線の切断が検出された場合に、映像データ及び／又は音声データの再生を一時停止させる停止制御信号を発生して前記再生装置に対して当該停止制御信号を出力させる停止制御手段と、
前記クライアント端末装置との間の無線通信回線の再接続を検出する再接続検出手段と、
前記再接続検出手段により前記クライアント端末装置との間の無線通信回線の再接続が検出された場合に、映像データ及び／又は音声データの再生を再開させる再開制御信号を発生して、前記再生装置に対して当該再開制御信号を出力させる再開制御手段と、を備え、
前記再生装置は、
前記サーバから出力された前記停止制御信号及び前記再開制御信号を受信する信号受信部と、
前記信号受信部により受信された前記停止制御信号及び前記再開制御信号により、前記記録媒体に記録された映像データ及び／又は音声データの再生を制御する再生制御手段と、
を備えることを特徴としている。
【発明の効果】
【００１０】
請求項１に記載の発明によれば、サーバにおいて、切断検出手段により、クライアント端末装置との間の無線通信回線の切断が検出され、切断検出手段によりクライアント端末装置との間の無線通信回線の切断が検出された場合に、停止制御信号発生部により、再生装置による映像データ及び／又は音声データの再生を一時停止させる停止制御信号が発生され、再接続検出手段により、クライアント端末装置との間の無線通信回線の再接続が検出され、再接続検出手段によりクライアント端末装置との間の無線通信回線の再接続が検出された場合に、再開制御信号発生部により、再生装置による映像データ及び／又は音声データの再生を再開させる再開制御信号が発生され、クライアント端末装置から受信した操作信号を再生装置に光により出力する発光部により、停止制御信号及び再開制御信号が再生装置に出力され、再生装置において、受光部により、停止制御信号及び再開制御信号が受光され、再生制御手段により、受光部により受光された停止制御信号及び再開制御信号に基づいて記録媒体に記録された映像データ及び／又は音声データの再生が制御されるので、無線通信回線が切断された際に再生装置での映像データ及び／又は音声データの再生が一時停止され、無線通信回線が再接続された際に映像データ及び／又は音声データの再生が当該一時停止位置から再開されることとなって、切断時に再生されていたデータから再生をより確実に再開することができ、接続が切断された場合であっても、再接続時に好適な位置から再生を再開することができる。
【００１１】
また、クライアント端末装置から受信した操作信号を再生装置に光により出力する発光部により、停止制御信号及び再開制御信号が再生装置に出力されるので、既存の発光部を用いて停止制御信号及び再開制御信号を再生装置に出力することができることとなって、再生装置への停止制御信号及び再開制御信号の出力を容易に実現することができる。
【００１２】
請求項２に記載の発明によれば、切断検出手段により、クライアント端末装置との間の無線通信回線の切断が検出され、切断検出手段によりクライアント端末装置との間の無線通信回線の切断が検出された場合に、停止制御手段により、映像データ及び／又は音声データの再生を一時停止させる停止制御信号が発生されて、再生装置に対して当該停止制御信号が出力され、再接続検出手段により、クライアント端末装置との間の無線通信回線の再接続が検出され、再接続検出手段によりクライアント端末装置との間の無線通信回線の再接続が検出された場合に、再開制御手段により、映像データ及び／又は音声データの再生を再開させる再開制御信号が発生されて、再生装置に対して当該再開制御信号が出力されるので、無線通信回線が切断された際に再生装置での映像データ及び／又は音声データの再生が一時停止され、無線通信回線が再接続された際に映像データ及び／又は音声データの再生が当該一時停止位置から再開されることとなって、切断時に再生されていたデータから再生をより確実に再開することができ、接続が切断された場合であっても、再接続時に好適な位置から再生を再開することができる。
【００１３】
請求項３に記載の発明によれば、請求項２に記載の発明と同様の効果が得られるのは勿論のこと、特に、クライアント端末装置から受信した操作信号を再生装置に出力する信号出力部により、停止制御信号及び再開制御信号が再生装置に出力されるので、既存の信号出力部を用いて停止制御信号及び再開制御信号を再生装置に出力することができることとなって、再生装置への停止制御信号及び再開制御信号の出力を容易に実現することができる。
【００１４】
請求項４に記載の発明によれば、サーバにおいて、切断検出手段により、クライアント端末装置との間の無線通信回線の切断が検出され、切断検出手段によりクライアント端末装置との間の無線通信回線の切断が検出された場合に、停止制御手段により、映像データ及び／又は音声データの再生を一時停止させる停止制御信号が発生されて、再生装置に対して当該停止制御信号が出力され、再接続検出手段により、クライアント端末装置との間の無線通信回線の再接続が検出され、再接続検出手段によりクライアント端末装置との間の無線通信回線の再接続が検出された場合に、再開制御手段により、映像データ及び／又は音声データの再生を再開させる再開制御信号が発生されて、再生装置に対して当該再開制御信号が出力され、再生装置において、信号受信部により、停止制御信号及び再開制御信号が受信され、再生制御手段により、信号受信部により受信された停止制御信号及び再開制御信号に基づいて記録媒体に記録された映像データ及び／又は音声データの再生が制御されるので、無線通信回線が切断された際に再生装置での映像データ及び／又は音声データの再生が一時停止され、無線通信回線が再接続された際に映像データ及び／又は音声データの再生が当該一時停止位置から再開されることとなって、切断時に再生されていたデータから再生をより確実に再開することができ、接続が切断された場合であっても、再接続時に好適な位置から再生を再開することができる。
【発明を実施するための最良の形態】
【００１５】
以下、図を参照して、本発明に係る再生システム及びサーバを実施するための最良の形態を詳細に説明する。
図１に示すように、本発明に係る再生システム１００は、例えば、再生装置としてのＤＶＤプレーヤ１と、ＤＶＤプレーヤ１と接続されるサーバ２と、サーバ２と無線通信回線を介して接続されるクライアント端末装置としてのテレビ受像機３と、テレビ受像機３，サーバ２，ＤＶＤプレーヤ１に操作信号を入力するためのリモコン４等を備えて構成される。
【００１６】
ＤＶＤプレーヤ１は、例えば、サーバ２と接続され、記録媒体としてのＤＶＤ（図示省略）に記録された映像データ及び音声データを再生し、再生した映像データ及び音声データをサーバ２に入力する。また、ＤＶＤプレーヤ１は、例えば、サーバ２の信号出力部としての発光部２１（後述）からの光を受光する信号受信部としての受光部１１を備えている。
【００１７】
サーバ２は、例えば、ＤＶＤプレーヤ１から入力された映像データ及び音声データを無線通信回線を介してテレビ受像機３に送信する。また、サーバ２は、テレビ受像機３から受信した操作信号に基づく制御信号をＤＶＤプレーヤ１に入力するための発光部２１を備えている。
発光部２１は、例えば、テレビ受像機３から受信した操作信号に基づく制御信号を伝達するための光ケーブル２１Ａ及び当該光ケーブル２１Ａの先端に取り付けられたＬＥＤ２１Ｂ等を備え、制御信号に応じた光を発光する。また、発光部２１は、サーバ２の信号発生回路２３（後述）により発生された停止制御信号及び再開制御信号に応じた光を発光し、信号出力部として機能する。なお、発光部２１により発光された光が受光部１１に受光されればよく、発光部２１は、光ケーブル２１Ａを備えていなくともよい。
【００１８】
テレビ受像機３は、例えば、表示部３１及びスピーカ３２等を備え、サーバ２から無線通信回線を介して映像データ及び音声データを受信し、当該映像データ及び音声データに基づく映像及び音声を表示部３１及びスピーカ３２により再生する。また、テレビ受像機３は、例えば、リモコン４のリモコン発光部４１（後述）からの光を受光するリモコン受光部３３を備えている。
【００１９】
リモコン４は、例えば、操作信号を入力するための各種のキー（図示省略），操作信号をテレビ受像機３に出力するためのリモコン発光部４１等を備えている。
そして、リモコン発光部４１から出力された操作信号は、テレビ受像機３のリモコン受光部３３により受信される。
また、テレビ受像機３がリモコン受光部３３により受信した操作信号は、無線通信回線を介してサーバ２に送信される。
また、サーバ２により受信された操作信号は、信号発生回路２３（後述）により制御信号に変換されて、サーバ２の発光部２１からＤＶＤプレーヤ１の受光部１１へ入力されるようになっている。
【００２０】
また、サーバ２は、例えば、図２に示すように、送受信部２２，停止制御信号発生部及び再開制御信号発生部としての信号発生回路２３，ＣＰＵ（Central  Processing  Unit）２４，ＲＡＭ（Random  Access  Memory）２５，記憶部２６等を備えて構成される。
【００２１】
送受信部２２は、例えば、ＲＦモジュール等を備えて構成され、テレビ受像機３等と無線通信を行う。
【００２２】
信号発生回路２３は、例えば、無線通信回線を介して受信した操作信号に基づいて、ＤＶＤプレーヤ１を操作するための制御信号を発生する。また、信号発生回路２３は、例えば、ＣＰＵ２４が停止制御プログラム２６Ｃ及び再開制御プログラム２６Ｄを実行することにより制御されて、停止制御信号及び再開制御信号を発生し、停止制御信号発生部及び再開制御信号発生部として機能する。
【００２３】
ＣＰＵ２４は、記憶部２６に格納された処理プログラム等を読み出して、ＲＡＭ２５に展開して実行することにより、サーバ２全体の制御を行う。
【００２４】
ＲＡＭ２５は、ＣＰＵ２４により実行された処理プログラム等を、ＲＡＭ２５内のプログラム格納領域に展開するとともに、入力データや上記処理プログラムが実行される際に生じる処理結果等をデータ格納領域に格納する。
【００２５】
記憶部２６は、例えば、プログラムやデータ等が予め記憶されている記録媒体（図示せず）を有しており、この記録媒体は、例えば、半導体メモリ等で構成されている。また、記憶部２６は、ＣＰＵ２４がサーバ２全体を制御する機能を実現させるための各種データ，各種処理プログラム，これらプログラムの実行により処理されたデータ等を記憶する。より具体的には、記憶部２６は、例えば、図２に示すように、通常再生制御プログラム２６Ａ，検出プログラム２６Ｂ，停止制御プログラム２６Ｃ，再開制御プログラム２６Ｄ等を格納している。
【００２６】
通常再生制御プログラム２６Ａは、例えば、ＣＰＵ２４に、信号発生回路２３を制御して、無線通信回線を介して受信した操作信号に基づく制御信号を発生させ、発光部２１を制御して、当該制御信号をＤＶＤプレーヤ１に出力するとともに、送受信部２２を制御して、ＤＶＤプレーヤ１から入力される映像データ及び音声データを無線通信回線を介してテレビ受像機３に送信する機能を実現させるプログラムである。
【００２７】
検出プログラム２６Ｂは、例えば、ＣＰＵ２４に、送受信部２２を制御して、無線通信回線の切断及び再接続を検出する機能を実現させるプログラムである。ＣＰＵ２４は、かかる検出プログラム２６Ｂを実行することにより切断検出手段及び再接続検出手段として機能する。
【００２８】
停止制御プログラム２６Ｃは、例えば、ＣＰＵ２４に、無線通信回線の切断を検出した場合に、信号発生回路２３を制御して、ＤＶＤプレーヤ１による映像データ及び音声データの再生を一時停止させる停止制御信号を発生させ、発光部２１を制御して当該停止制御信号をＤＶＤプレーヤ１に出力することにより、ＤＶＤプレーヤ１を制御して、映像データ及び音声データの再生を当該再生位置において一時停止させる機能を実現させるプログラムである。ＣＰＵ２４は、かかる停止制御プログラム２６Ｃを実行することにより停止制御手段として機能する。
【００２９】
再開制御プログラム２６Ｄは、例えば、ＣＰＵ２４に、無線通信回線の再接続を検出した場合に、信号発生回路２３を制御して、ＤＶＤプレーヤ１による映像データ及び音声データの再生を再開させる再開制御信号を発生させ、発光部２１を制御して当該再開制御信号をＤＶＤプレーヤ１に入力することにより、ＤＶＤプレーヤ１を制御して、映像データ及び音声データの再生を一時停止した再生位置から再開させる機能を実現させるプログラムである。ＣＰＵ２４は、かかる再開制御プログラム２６Ｄを実行することにより再開制御手段として機能する。
【００３０】
また、ＤＶＤプレーヤ１は、例えば、図３に示すように、ＣＰＵ（Central  Processing  Unit）１２，ＲＡＭ（Random  Access  Memory）１３，記憶部１４等を備えて構成される。
【００３１】
ＣＰＵ１２は、記憶部１４に格納された処理プログラム等を読み出して、ＲＡＭ１３に展開して実行することにより、ＤＶＤプレーヤ１全体の制御を行う。
【００３２】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００３３】
記憶部１４は、例えば、プログラムやデータ等が予め記憶されている記録媒体（図示せず）を有しており、この記録媒体は、例えば、半導体メモリ等で構成されている。また、記憶部１４は、ＣＰＵ１２がＤＶＤプレーヤ１全体を制御する機能を実現させるための各種データ，各種処理プログラム，これらプログラムの実行により処理されたデータ等を記憶する。より具体的には、記憶部１４は、例えば、図３に示すように、再生制御プログラム１４Ａ等を格納している。
【００３４】
再生制御プログラム１４Ａは、例えば、ＣＰＵ１２に、受光部１１がサーバ２より操作信号に基づく制御信号、停止制御信号及び再開制御信号を受信した際に、当該制御信号、停止制御信号及び再開制御信号に基づいて、ＤＶＤに記録された映像データ及び音声データの再生を制御する機能を実現させるプログラムである。ＣＰＵ１２は、かかる再生制御プログラム１４Ａを実行することにより、再生制御手段として機能する。
【００３５】
次に、上述のような構成の再生システム１００における停止制御動作及び再開制御動作について図４に示すフローチャートを参照しながら説明する。
まず、サーバ２において、ＣＰＵ２４は、検出プログラム２６Ｂを実行することにより、無線通信回線が切断されたか否かを判断する（ステップＳ１）。
【００３６】
ステップＳ１において、ＣＰＵ２４が無線通信回線が切断されていないと判断した場合には（ステップＳ１；Ｎｏ）、ＣＰＵ２４は、ステップＳ１の処理を所定時間毎に行う。
ステップＳ１において、ＣＰＵ２４が無線通信回線が切断されたと判断した場合には（ステップＳ１；Ｙｅｓ）、ＣＰＵ２４は、停止制御プログラム２６Ｃを実行することにより、信号発生回路２３を制御して停止制御信号を発生させ、発光部２１を制御して当該停止制御信号をＤＶＤプレーヤ１に出力する（ステップＳ２）。
【００３７】
次に、ＤＶＤプレーヤ１において、受光部１１が停止制御信号を受光すると（ステップＳ３）、ＣＰＵ１２が再生制御プログラム１４Ａを実行することにより、映像データ及び音声データの再生を当該再生位置において一時停止させる（ステップＳ４）。
【００３８】
次に、サーバ２において、ＣＰＵ２４は、検出プログラム２６Ｂを実行することにより、無線通信回線が再接続されたか否かを判断する（ステップＳ５）。
【００３９】
ステップＳ５において、ＣＰＵ２４が無線通信回線が再接続されていないと判断した場合には（ステップＳ５；Ｎｏ）、ＣＰＵ２４は、ステップＳ５の処理を所定時間毎に行う。
ステップＳ５において、ＣＰＵ２４が無線通信回線が再接続されたと判断した場合には（ステップＳ５；Ｙｅｓ）、ＣＰＵ２４は、再開制御プログラム２６Ｄを実行することにより、信号発生回路２３を制御して再開制御信号を発生させ、発光部２１を制御して当該再開制御信号をＤＶＤプレーヤ１に出力する（ステップＳ６）。
【００４０】
次に、ＤＶＤプレーヤ１において、受光部１１が再開制御信号を受光すると（ステップＳ７）、ＣＰＵ１２が再生制御プログラム１４Ａの実行に基づいて、映像データ及び音声データの再生をステップＳ４において一時停止した再生位置から再開させる（ステップＳ８）。
【００４１】
以上に説明した本発明に係る再生システム１００及びサーバ２によれば、サーバ２において、ＣＰＵ２４が検出プログラム２６Ｂを実行することにより、テレビ受像機３との間の無線通信回線の切断が検出され、テレビ受像機３との間の無線通信回線の切断が検出された場合に、ＣＰＵ２４が停止制御プログラム２６Ｃを実行することにより、信号発生回路２３が制御されて、ＤＶＤプレーヤ１による映像データ及び／又は音声データの再生を一時停止させる停止制御信号が発生され、ＣＰＵ２４が検出プログラム２６Ｂを実行することにより、テレビ受像機３との間の無線通信回線の再接続が検出され、テレビ受像機３との間の無線通信回線の再接続が検出された場合に、ＣＰＵ２４が再開制御プログラム２６Ｄを実行することにより、信号発生回路２３が制御されて、ＤＶＤプレーヤ１による映像データ及び／又は音声データの再生を再開させる再開制御信号が発生され、テレビ受像機３から受信した操作信号をＤＶＤプレーヤ１に光により出力する発光部２１により、停止制御信号及び再開制御信号がＤＶＤプレーヤ１に出力され、ＤＶＤプレーヤ１において、受光部１１により、停止制御信号及び再開制御信号が受光され、ＣＰＵ１２が再生制御プログラム１４Ａを実行することにより、受光部１１により受光された停止制御信号及び再開制御信号に基づいてＤＶＤに記録された映像データ及び／又は音声データの再生が制御されるので、無線通信回線が切断された際にＤＶＤプレーヤ１での映像データ及び／又は音声データの再生が一時停止され、無線通信回線が再接続された際に映像データ及び／又は音声データの再生が当該一時停止位置から再開されることとなって、切断時に再生されていたデータから再生をより確実に再開することができ、接続が切断された場合であっても、再接続時に好適な位置から再生を再開することができる。
【００４２】
また、テレビ受像機３から受信した操作信号をＤＶＤプレーヤ１に光により出力する発光部２１により、停止制御信号及び再開制御信号がＤＶＤプレーヤ１に出力されるので、既存の発光部２１を用いて停止制御信号及び再開制御信号をＤＶＤプレーヤ１に出力することができることとなって、ＤＶＤプレーヤ１への停止制御信号及び再開制御信号の出力を容易に実現することができる。
【００４３】
なお、再生装置としてＤＶＤプレーヤ１を例示して説明したが、これに限られるものではなく、例えば、ビデオプレーヤ，デジタルチューナ等であってもよい。
また、サーバ２に接続される再生装置は複数台あってもよい。
【図面の簡単な説明】
【００４４】
【図１】本発明に係る再生システムの構成を示す図である。
【図２】本発明に係るサーバの構成を示すブロック図である。
【図３】本発明に係るＤＶＤプレーヤの構成を示すブロック図である。
【図４】本発明に係るサーバの動作を説明するフローチャートである。
【符号の説明】
【００４５】
１  ＤＶＤプレーヤ（再生装置）
１１  受光部（信号受信部）
１２  ＣＰＵ（再生制御手段）
１４Ａ  再生制御プログラム（再生制御手段）
２  サーバ
２１  発光部（信号出力部）
２３  信号発生回路（停止制御信号発生部,再開制御信号発生部）
２４  ＣＰＵ（切断検出手段,再接続検出手段,停止制御手段,再開制御手段）
２６Ｂ  検出プログラム（切断検出手段,再接続検出手段）
２６Ｃ  停止制御プログラム（停止制御手段）
２６Ｄ  再開制御プログラム（再開制御手段）
３  テレビ受像機（クライアント端末装置）
１００  再生システム
【図１】
2007134963.tif 000003
【図２】
2007134963.tif 000004
【図３】
2007134963.tif 000005
【図４】
2007134963.tif 000006